(57)【要約】【課題】    地中梁などの配筋後の型枠へのコンクリート打設作業時、凸凹で不安定な地面に脚立を立て足場板を渡して作業するという従来の足場の不安定性や地面の養生の必要性をなくし、パイプ足場などを仮設しなくても良い施工地面に関係のないコストの安い安定した足場で分解可能で運搬や設置の労力を軽減できる仮設足場を提供する。【解決手段】  型枠10の上端サン木12に、間隔をおいて一対の縦ロッド１を、該縦ロッドに着脱自在に設けた型枠上部係合部材２の上端サン木係止片21を上方から係合させ、該係合部材２の縦サン木係止片22 を縦サン木13にボルトで固定し、縦ロッド１の下部に着脱自在に設けた型枠下部係合部材３の縦サン木係止片32を縦サン木13にボルトで固定し、上下の型枠係合部材と反対方向に縦ロッド１に着脱自在に足場受け部材４を上部に足場板５を支持するごとく設けて、該一対の縦ロッド１を上端サン木12に懸吊して足場を設置する。【選択図】  図２
2005127079.tif 000002
【特許請求の範囲】
【請求項１】
コンクリート梁体やコンクリート壁体の打設作業に使用するための仮設足場であって、任意間隔をおいてそれぞれ上下方向に延びる所定長の少くとも一対の縦ロッド１に対し、型枠の上端サン木上面に上方より係合する上端サン木係止片21と、その下方で型枠の縦サン木に側方より係合する縦サン木係止片22 と、之等係止片21、22の背後で縦ロッド側面に付設した連結具11と連結する連結具23とを一体的に備えた型枠上部係合部材２を、各ロッド上部側面に付設した連結具11を介して上方より嵌挿により着脱自在に設けるとともに、前記連結具11の下方のロッド側面には、該ロッド側面に付設した連結具12を介して、型枠の縦サン木に側方より係合する縦サン木係止片32と該係止片背後側にロッド側面の下方の連結具12と連結する連結具33とを一体的に備えた型枠下部係合部材３を、嵌挿により着脱自在に設け、前記上下の縦サン木係止片22、32をそれぞれボルトで縦サン木に固定可能に設ける一方、型枠係合部材２，３と反対方向に延びる足場受け部材４を、上部に足場板５を支持するごとく縦ロッド１側面に着脱自在に付設してなり、型枠の上端サン木に前記縦ロッドを懸吊して足場を設置するようにしたことを特徴とするコンクリート打設用仮設足場。
【請求項２】
上端サン木係止片21及び縦サン木係止片22、32は、それぞれ断面U字形で、上端サン木係止片21は下方が、縦サン木係止片22、32は側方がそれぞれ開口して、それぞれ上端サン木又は縦サン木を嵌挿可能にした請求項１記載のコンクリート打設用仮設足場。
【請求項３】
縦ロッド１側面に上下に付設した連結具11、12は、筒状又は棒状で上部、下部の型枠係合部材２，３の連結具23、33は前記連結具11、12と嵌合する棒状又は筒状である請求項１又は２記載のコンクリート打設用仮設足場。
【請求項４】
足場受け部材４の縦ロッド１への付設は、縦ロッド上下の所定位置に固着した足場受け部材支持筒13により、足場受け部材４の設置の高さを変更可能にした請求項１又は２又は３記載のコンクリート打設用仮設足場。
【発明の詳細な説明】
【技術分野】
【０００１】
本発明は、地中梁などのコンクリート梁体や室内の隔壁などのコンクリート壁体の打設作業に使用するための仮設足場に関するものである。
【背景技術】
【０００２】
コンクリート梁体やコンクリート壁体を構築する場合、例えばコンクリートによって地中梁を構築する場合には、地中梁構築部位に配筋を行い、面側板に上端サン木・下端サン木とその間に縦サン木を組合せた型枠を設置してコンクリ−トを打設する手順により行うが、この型枠にコンクリートを打設する際には、コンクリート材の投入其の他、型枠の上側からの作業が数繁く行われる。従って、作業員が型枠の上側からこれらの作業を行うための足場が不可欠であり、この足場作業は通常施工面である地面其の他に脚立を立て足場板を渡して作業するか、パイプ組足場などの簡易足場を仮設して、これを作業用の足場として利用することが行われている。
【０００３】
一方、パイプ組など枠組足場を仮設しなくても、コンクリート打設用の足場を簡易に設置できるようにしたものとして、「コンクリート壁体用型枠における横端太に掛着されるカギ部を備えるとともに、足場板を載置する水平材を備える複数の足場ブラケットを有し、前記カギ部が前記横端太に掛着されることにより前記コンクリート壁体用型枠に取り付けられる前記複数の足場ブラケットが、前記横端太の長手方向に沿って離間して設けられているとともに、前記複数の足場ブラケットにおける前記水平材に足場板が載置されており、前記コンクリート壁体用型枠にコンクリートを打設する際に用いられる足場となることを特徴とするコンクリート壁体打設用のブラケット足場。」が提案されている。
【特許文献１】特開平１１−２２９６１４号公報（請求項１，段落番号０００６）
【発明の開示】
【発明が解決しようとする課題】
【０００４】
解決しようとする問題点は、型枠へのコンクリート打設作業時、従来は、施工面が地面の場合は、凸凹で不安定な地面に脚立を立て足場板を渡すため、足場が不安定で作業可能範囲も狭く限られ、或いは脚立の安定化の為設置場所の養生が必要であり、前者では作業姿勢も安定しないため危険を免れず、また、いずれの足場も作業場所の移動の際、手間がかかる点である。其の他、施工面に設置するパイプ組足場などの仮設足場は、工賃や資材費が嵩みコスト高に問題がある。
【０００５】
一方、コンクリート壁体打設用のブラケット足場として提案されたものの場合、型枠における横端太に掛着されるカギ部を備えるとともに、足場板を載置する水平材を備える足場ブラケットを用いており、該足場ブラケットは、カギ部と水平材とを一体的に備えているため、重量が重く、運搬・設置に多大の労力を必要とし、保管のためのスペースも相当に必要である。また、カギ部を水平方向の横端太に掛着してブラケットを型枠に取付けるため、ブラケットが傾くなどブラケットの垂直方向に対するブレを起す問題を残している。
【課題を解決するための手段】
【０００６】
本発明においては、地面など施工面からの足場に頼ることなく安定して作業ができるとともに、重量が重くても分解可能で運搬・設置等の労力を軽減し且つコストを低減した仮設足場として、請求項１に示すごとく、任意間隔をおいてそれぞれ上下方向に延びる所定長の少なくとも一対の縦ロッド１に対し、型枠の上端サン木上面に上方より係合する上端サン木係止片21と、その下方で型枠のサン木に側方より係合する縦サン木係止片22と、之等係止片21,22の背後で縦ロッド側面に付設した連結具11と連結する連結具23とを一体的に備えた型枠上部係合部材２を、各ロッド上部側面に付設した連結具11を介して上方より嵌挿により着脱自在に設けるとともに、前記連結具11の下方のロッド側面には、該ロッド側面に付設した連結具12を介して、型枠の縦サン木に側方より係合する縦サン木係止片32と該係止片背後側にロッド側面の下方の連結具12と連結する連結具33とを一体的に備えた型枠下部係合部材３を、嵌挿により着脱自在に設け、前記上下の縦サン木係止片22,32をそれぞれボルトで縦サン木に固定可能に設ける一方、型枠係合部材２，３と反対方向に延びる足場受け部材４を上部に足場板５を支持するごとく縦ロッド１側面に着脱自在に付設して構成され、型枠の上端サン木に前記縦ロッドを懸吊して足場を設置するようにしたことを特徴としている。
【０００７】
この場合、上端サン木係止片21及び縦サン木係止片22,23は請求項２に示すごとくそれぞれ断面U字形で、上端サン木係止片21は下方が、縦サン木係止片22,23は側方がそれぞれ開口して、それぞれ対象とする上端サン木又は縦サン木を嵌挿可能にすることが効果的である。
【０００８】
前記縦ロッド１側面に上下に付設した連結具11,12は、請求項３に示すごとく筒状又は棒状で、上部、下部の型枠係合部材２，３の連結具23,33は前記連結具11,12と嵌合する棒状又は筒状とするとよい。
【０００９】
また、足場受け部材４を縦ロッド１へ付設するに当っては、請求項４に示すごとく、縦ロッド上下の所定位置に固着した足場受け部材支持筒13により、足場受け部材４の設置の高さを変更可能にした構成をとることが望ましい。
【発明の効果】
【００１０】
請求項１記載の本発明のコンクリート打設用仮設足場によれば、少なくとも一対の縦ロッド１に対し、型枠の上端サン木に上方より係合するとともに型枠の縦サン木に側方より係合する型枠上部係合部材を、縦ロッド上部側面に付設した連結具を介して着脱自在に設けるとともに、その下方で型枠の縦サン木に側方より係合する型枠下部係合部材を縦ロッド側面の下方の連結具を介して着脱自在に設け、型枠の縦サン木に係合する縦サン木係止片をボルトで縦サン木に固定可能に設ける一方、上下の型枠係合部材と反対方向に足場受け部材を縦ロッド側面に着脱自在に付設して、型枠の上端サン木に縦ロッドを懸吊して足場を設置するようにしたため、コンクリート梁体やコンクリート壁体を構築する施工部の地面の凹凸にかかわらず、また、設置場所の養生をする必要もなく、足場受け部材のブレのない安定した危険のおそれのない足場をコスト安く容易に設置することができる。而も固定ボルトをゆるめて、縦ロッドを型枠の上端サン木上でスライド乃至移動させることにより、取付場所や足場の寸法を容易に変更することができる。
さらに、足場板を除いて、縦ロッドと型枠上部係合部材と型枠下部係合部材と足場受け部材とに分解して部材別に重量を軽くすることができるため、運搬や足場設置の際の労力を軽減することができ、保管のためのスペースも少なくすることができる。
【００１１】
請求項２記載の発明によれば、上端サン木係止片、縦サン木係止片はそれぞれ断面U字形で、上端サン木又は縦サン木の取付方向が開口しているため、それぞれ対象とする上端サン木、縦サン木の嵌挿により容易に安定して係止のための係合をさせることができる。
【００１２】
請求項３記載の発明によれば、縦ロッド側面に上下に付設した連結具と、上部、下部の型枠係合部材の連結具を利用して、縦ロッド側面に容易に上下の型枠係合部材を連結することができる。
【００１３】
請求項４記載の発明によれば、縦ロッド上下の所定位置に固着したパイプ状の足場受け部材支持筒を利用して、足場受け部材の設置の高さを変更して縦ロッドへの付設を行うことにより、用途に対応してコンクリート打設作業に便利な足場を設定することができる。
【発明を実施するための最良の形態】
【００１４】
地中梁などのコンクリート梁体や室内の隔壁などのコンクリート壁体を構築するべく構築部位に配筋を行い型枠を設置してコンクリートを打設するに当たり、凸凹で不安定な地面など施工面に脚立を立て足場板を渡して足場を設置乃至設置場所の地面の養生をして足場を設置するという従来の足場の不安定性や養生の必要性をなくし、且つ作業場所の移動の際の手間を軽減し、さらに足場設置の際の重量のある足場資材の運搬や足場設置の労力を軽減し安定して容易にコンクリート打設用の足場をコスト安く仮設するという目的を、少なくとも一対の縦ロッドを型枠の上端サン木に懸吊して足場を設置するとともに、その際の上端サン木上面に上方より係合する上端サン木係止片と型枠の縦サン木に側方より係合する縦サン木係止片と足場受け部材とを、ロッド側面上下に設けた連結具を介して嵌挿により縦ロッドに着脱自在に設けるようにして、安定して容易に型枠に対しコンクリート打設用仮設足場の設置を実現した。
【実施例１】
【００１５】
図１に、本発明のコンクリート打設用仮設足場をコンクリート型枠に設置したときの正面図が示されており、図２に、コンクリート打設用仮設足場を設置した型枠の側部断面図である図（A）、及びその部分説明図である図（B）、（Ｃ）、（Ｄ）が示されている。また、図３は、縦ロッドに対する型枠上部係合部材、型枠下部係合部材、足場受け部材の着脱状態を示す図である。１は縦ロッド、２は型枠上部係合部材、21は上端サン木係止片、３は型枠下部係合部材、22,23は縦サン木係止片、４は足場受け部材、５は足場板、１０は型枠、１２は上端サン木、１３は縦サン木である。
【００１６】
施工部の底面（掘削し養生した地面等）に近接して配設された地中梁などの鉄筋の両側に配置された型枠の一方の型枠１０に対し、任意の適当な数（実施例では２本）の両側の縦サン木１３，１３に沿うように一対の縦ロッド１，１を該型枠の上端サン木１２に懸吊して各ロッドに足場受け部材４をそれぞれに付設せしめる（図１参照）。
【００１７】
型枠１０では、図示しない鉄筋の両側に配置される型枠１０，１０が、それぞれの側面板１１を対向せしめて配置されており、各型枠１０の縦サン木１３のそれぞれの外側には、上下の所定位置に各２本の横端太１４，１４が上下に取付けられている、また、該２本の横端太１４，１４の間に相当する上下位置で前記側面板１１，１１間にセパレータ２６を上下に介在させて横端太１４，１４の外側からくさび２７を用いた型枠締付具１５により、対向する型枠１０，１０の両外側から型枠を締付け、型枠１０，１０の間隔を正確に保つようにしている（図２(A）参照）。
【００１８】
各縦ロッド１はパイプ製（42.7φ）で、その上端側面には、型枠上部の係合部材として、型枠上端サン木１２上面に上方より係合して懸吊するための上端サン木係止片21とその下方で型枠の縦サン木13に側方より係合する縦サン木係止片22と、之等21,22の背後で縦ロッド側面に付設した連結具11と連結する連結具23とを、上端サン木係止片21は断面U字形の溝形鋼によりU字形の開口を下に向けて、縦サン木係止片22は断面が小形のU字形の溝型鋼によりU字形の開口を側方に向けて、それぞれ溶着により一体的に備え、且つ縦サン木係止片22は嵌挿した縦サン木13を係止するようにボルトで該縦サン木13を締付け可能に設けた型枠上部係合部材２が、各ロッド上部側面に付設した連結具11を介して縦ロッド１に上方より着脱自在に設けられている（図2(C)及び図３参照）。
【００１９】
また、各縦ロッド１の前記連結具11の下方のロッド側面には、型枠下部の係合部材として、型枠の縦サン木13に側方より係合する縦サン木係止片32と該係止片背後側にロッド側面の下方の連結具12と連結する連結具33とを縦サン木係止片32は断面が小型のU字形の溝型鋼によりU字形の開口を側方に向けて、それぞれ溶着により一体的に備え、且つ縦サン木係止片32は嵌挿した縦サン木１３を係止するようにボルトで該縦サン木を締付可能に設けた型枠下部係合部材３が、各ロッド下部側面に付設した連結具12を介して縦ロッド１に着脱自在に設け等れている（図２（D）及び図３参照）。
【００２０】
縦ロッド１の上部には型枠上部係合部材２の連結具23と連結する連結具11が筒状で設けられ、縦ロッド１の下部には型枠下部係合部材３の連結具33と係合する筒状の連結具12が設けられるとともに、縦ロッド１の上部の連結具11の背面には、足場板５を上部に載置支持するようにした足場受け部材４の内側端部の小ロッド41が嵌挿する足場受け部材支持筒13が、上下に所定距離をおいて溶着されており、足場受け部材の設置の高さを変えられるようになっている（図３参照）。
【００２１】
足場受け部材４は、型枠１０の上端サン木１２に間隔をおいて左右に懸吊した前記一対の縦ロッド１，１の前面の足場受け部材支持筒13,13にそれぞれ内側端部の前記小ロッド41を嵌挿するとともに、足場受け部材４の内側端部の小ロッド41の下方に位置して足場受け部材４を縦ロッド１に設置したとき、足場受け部材４上部で支持する足場板５の巾方向が水平になるように、水平断面が小形のV字形に開いた足場受け部材下部支持片42が縦ロッド１に当接するように設けられている（図２（B）参照）。
【００２２】
また、足場受け部材４の前記小ロッド41の反対側の足場板積載部の外側端部には、上方から手すり（図示せず）の端部ロッドを挿入できるように手すり用のパイプ43が設けられている。
これにより、型枠１０の上端サン木１２に懸吊した一対の縦ロッド１，１に付設した左右の足場受け部材４，４に足場板５を積載支持せしめるとき、足場板５は水平状態となり、且つ型枠に沿い左右両側板12,12に水平移動ができるようになる（図１参照）。
【産業上の利用可能性】
【００２３】
地中梁などのコンクリート梁体や室内の隔壁などのコンクリート壁体の構築作業において、型枠を設置してコンクリート材の投入其の他型枠の上側からのコンクリート打設作業を行う場合に不可欠な足場を、地面など施工面の状態に関係なく、従来より安定して設置でき、且つ、作業場所の移動も、資材を分解して、容易に運搬や足場設置の際の労力を軽減することができる。
【図面の簡単な説明】
【００２４】
【図１】本発明の「コンクリート打設用足場」を設置した型枠の正面図である。
【図２】コンクリート打設用仮設足場を設置した型枠の側部断面図(A）と、部分説明図(B）、（C）、（D）である。
【図３】縦ロッドに対する型枠上部係合部材、型枠下部係合部材、足場受け部材の着脱状態を示す図である。
【符号の説明】
【００２５】
１……縦ロッド
11……連結具
12……連結具
13……足場受け部材支持筒
２……型枠上部係合部材
21……上端サン木係止片
22……縦サン木係止片
23……連結具
３……型枠下部係合部材
32……縦サン木係止片
33……連結具
４……足場受け部材
５……足場板
１０…型枠
１２…上端サン木
１３…縦サン木
【図１】
2005127079.tif 000003
【図２】
2005127079.tif 000004
【図３】
2005127079.tif 000005